(57)【要約】【課題】  ２波長レーザーダイオードから放射されるレーザー光の光ディスクからの戻り光を受光する光検出器の位置調整を容易に行うことが出来る光ピックアップ装置を提供する。【解決手段】  第１光ディスクの信号記録層から反射される戻り光が照射される第１受光部と第２光ディスクの信号記録層から反射される戻り光が照射される第２受光部８Ｂとが同一の半導体基板上に形成されて組み込まれているとともに第１受光部の位置決め調整を行うことによって固定位置が決定される光検出器を備え、第２受光部８Ｂに第１受光部に対する位置ズレを電気的に補正する位置ズレ補正用受光部を形成したことを特徴とする。【選択図】  図１
2011113630.tif 000002
【特許請求の範囲】
【請求項１】
第１レーザー光を放射する第１レーザー素子及び該第１レーザー光の波長より長い波長の第２レーザー光を放射する第２レーザー素子が同一のパッケージ内に設けられている２波長レーザーダイオードと、該２波長レーザーダイオードから放射される第１レーザー光及び第２レーザー光が入射されるとともに第１レーザー光を第１光ディスクに設けられている信号記録層に集光させ、且つ第２レーザー光を前記第１光ディスクの規格と異なる第２光ディスクに設けられている信号記録層に集光させる対物レンズを備えた光ピックアップ装置であり、第１光ディスクの信号記録層から反射される戻り光が照射される第１受光部と第２光ディスクの信号記録層から反射される戻り光が照射される第２受光部とが同一の半導体基板上に形成されて組み込まれているとともに第１受光部の位置決め調整を行うことによって固定位置が決定される光検出器を備え、第２受光部に該第２受光部の位置ズレを電気的に補正する位置ズレ補正用受光部を形成したことを特徴とする光ピックアップ装置。
【請求項２】
第１受光部と第２受光部とをＸ軸方向へ並べて配置したとき、前記第１受光部をＸ軸方向に２分割するとともに該Ｘ軸方向に対して直角方向であるＹ軸方向に２分割された４つのセンサー部にて構成し、前記第２受光部をＸ軸方向に２分割するとともにＹ軸方向に３分割された６つのセンサー部にて構成し、中央に配置される２つのセンサー部を位置ズレ補正用受光部として使用するようにしたことを特徴とする請求項１に記載の光ピックアップ装置。
【請求項３】
２波長レーザーダイオードに設けられている第１レーザー素子と第２レーザー素子との間の距離と第１受光部のＸ軸方向の中心と第２受光部のＸ軸方向の中心との間の距離とが同一になるように設定したことを特徴とする請求項２に記載の光ピックアップ装置。
【請求項４】
位置ズレ補正用受光部のＹ軸方向の幅を光検出器の第１受光部を中心とする回転位置の誤差に基づいて設定したことを特徴とする請求項３に記載の光ピックアップ装置。
【請求項５】
位置ズレ補正用受光部を第２受光部のＹ軸方向の中心に配置したことを特徴とする請求項４に記載の光ピックアップ装置。
【発明の詳細な説明】
【技術分野】
【０００１】
本発明は、光ディスクに記録されている信号の読み出し動作や光ディスクに信号の記録動作を行う光ピックアップ装置に関する。
【背景技術】
【０００２】
光ピックアップ装置から照射されるレーザー光を光ディスクの信号記録層に照射することによって信号の読み出し動作や信号の記録動作を行うことが出来る光ディスク装置が普及している。
【０００３】
光ディスク装置としては、ＣＤやＤＶＤと呼ばれる光ディスクを使用するものが一般に普及している。ＣＤ規格の光ディスクに記録されている信号の読み出し動作を行うレーザー光としては、波長が７８０ｎｍである赤外光が使用され、ＤＶＤ規格の光ディスクに記録されている信号の読み出し動作を行うレーザー光としては、波長が６５０ｎｍの赤色光が使用されている。
【０００４】
そして、前記ＣＤ規格の光ディスクにおける信号記録層の上面に設けられている保護層の厚さは１．２ｍｍであり、この信号記録層から信号の読み出し動作を行うために使用される対物レンズの開口数は０．４５と規定されている。また、ＤＶＤ規格の光ディスクにおける信号記録層の上面に設けられている保護層の厚さは０．６ｍｍであり、この信号記録層から信号の読み出し動作を行うために使用される対物レンズの開口数は０．６と規定されている。
【０００５】
前述したＣＤ規格の光ディスクに記録されている信号の読み出し動作とＤＶＤ規格の光ディスクに記録されている信号の読み出し動作を同一の対物レンズの集光動作によって行うように構成された光ピックアップ装置では、使用するレーザーダイオードのレーザー波長に応じて対物レンズに入射するレーザー光の光束を開口数に合わせて制限するように構成されている。
【０００６】
斯かる開口数の変更動作を行うために波長選択フィルターを使用したり、相違する開口径の開口絞りを機械的に絞ったり、あるいは液晶シャッターを使用して行うように構成されている。また、同一の対物レンズを使用してＣＤ規格及びＤＶＤ規格の光ディスクに記録されている信号の読み出し動作を行う方法として２つの焦点を有する２焦点レンズと呼ばれる対物レンズを使用する方法も採用されている。
【０００７】
前述した規格の異なる光ディスクに記録されている信号の読み出し動作を行うことが出来るように構成された光ピックアップ装置は、異なる波長のレーザー光を放射する２つのレーザーダイオードが組み込まれるが、光学系の構成を簡潔にするために第１レーザー光を放射する第１レーザー素子と該第１レーザー光と波長が異なる第２レーザー光を放射する第２レーザー素子とが同一のパッケージ内に設けられている２波長レーザーダイオードと呼ばれるレーザーダイオードを使用したものが商品化されている。
【０００８】
前述した２波長レーザーダイオードを使用する光ピックアップ装置は、対物レンズの集光動作にて生成されるレーザースポットを光ディスクに設けられている信号記録層に集光させるフォーカス制御動作や信号トラックに追従させるトラッキング制御動作を行うための制御信号、即ちフォーカスエラー信号やトラッキングエラー信号を生成するために信号記録層から反射される戻り光を受光する光検出器を備えており、斯かる光検出器には特許文献１や特許文献２に記載されているように各レーザー光に対応した受光部が設けられて
いる。
【先行技術文献】
【特許文献】
【０００９】
【特許文献１】特開２００１−３０７３６２号公報
【特許文献２】特開２００４−２２０５１号公報
【発明の概要】
【発明が解決しようとする課題】
【００１０】
図２は２波長レーザーダイオードから放射される第１レーザー光と第２レーザー光とを１つの対物レンズによって異なる規格の光ディスクに設けられている信号記録層に集光させるように構成された光ピックアップ装置の光学配置図であり、ＤＶＤ規格の第１光ディスクＤ１とＣＤ規格の第２光ディスクＤ２に記録されている信号の読み出し動作を行うことが出来るように構成された光ピックアップ装置を例にして説明する。尚、本説明では、レーザー光を直線偏光光から円偏光光へ、反対に円偏光光から直線偏光光へ変換する１／４波長板や光検出器に照射される戻り光に含まれる各種の収差を補正するアナモフィックレンズ等の光学部品は省略した。
【００１１】
同図において、１はＤＶＤ規格である第１光ディスクＤ１に記録されている信号を読み出す場合に適した波長、例えば６５０ｎｍの第１レーザー光を放射する第１レーザー素子２及びＣＤ規格である第２光ディスクＤ２に記録されている信号を読み出す場合に適した波長、例えば７８０ｎｍの第２レーザー光を放射する第２レーザー素子３が同一の半導体基板上に配置されているとともに同一のパッケージ内に設けられている２波長レーザーダイオードである。
【００１２】
４は前記２波長レーザーダイオード１から放射される第１レーザー光及び第２レーザー光が入射されるとともに第２レーザー光に対して回折作用を成す回折格子であり、第２レーザー光を０次光であるメインビームＭ２と±１次光であるサブビームＳ１、Ｓ２とを分離生成するように構成されている。前記回折格子４は第２レーザー光に対しては回折作用を有するが第１レーザー光に対しては何等作用することはなく、第１レーザー光は０次光のメインビームＭ１として透過するように構成されている。
【００１３】
５は前記回折格子４を透過した第１レーザー光及び第２レーザー光を反射させるべく斜めに配置されている平行平板型のハーフミラーであり、後述する戻り光を透過させるとともに非点収差を発生する作用を成すものである。６は前記ハーフミラー５にて反射された第１レーザー光及び第２レーザー光が入射されるコリメートレンズであり、入射光を発散光から平行光に変更するように構成されている。
【００１４】
７は前記コリメートレンズ６を透過した平行光である第１レーザー光及び第２レーザー光が入射される対物レンズであり、第１レーザー光を第１光ディスクＤ１の信号記録層Ｌ１に集光させるとともに第２レーザー光を第２光ディスクＤ２の信号記録層Ｌ２に集光するように構成されている。斯かる対物レンズ７は、第１レーザー光の波長及び第２レーザー光の波長に合わせて入射される各レーザー光の光束を制限するべく設けられている開口絞りの径を切り換えることによって、あるいは２焦点レンズにて構成することによってＣＤ規格の開口数０．４５やＤＶＤ規格の開口数０．６の対物レンズとして作用するように構成されている。
【００１５】
前述した光学部品にて構成された光路を通して２波長レーザーダイオード１から放射される第１レーザー光及び第２レーザー光が前記対物レンズ７に入射されるので、第１光ディスクＤ１の信号記録層Ｌ１及び第２光ディスクＤ２の信号記録層Ｌ２に対物レンズ７の
集光動作によって第１レーザー光及び第２レーザー光が集光されて各光ディスクに記録されている信号を読み出すために適したレーザースポットが生成される。
【００１６】
斯かる動作によって第１光ディスクＤ１の信号記録層Ｌ１及び第２光ディスクＤ２の信号記録層Ｌ２にレーザースポットが生成されるが、同時に信号記録層Ｌ１及び信号記録層Ｌ２から各レーザー光が戻り光として反射されることになる。
【００１７】
このようにして反射される第１レーザー光及び第２レーザー光の戻り光は、対物レンズ７及びコリメートレンズ６を通してハーフミラー５に入射されることになる。斯かる戻り光は、周知のように１／４波長板（図示せず）による位相変更動作によって異なる方向の直線偏光光に変換されているので、該ハーフミラー５にて反射されることなく該ハーフミラー５を透過することになる。
【００１８】
前記ハーフミラー５を透過する第１レーザー光及び第２レーザー光は、フォーカス制御動作に使用される非点収差を付与されて光検出器８に照射されることになる。斯かる光検出器８には、図３に示すような受光部が組み込まれており、次に斯かる受光部について説明する。
【００１９】
図３において、８Ａは第１光ディスクＤ１の信号記録層Ｌ１に集光照射された第１レーザー光の反射光である戻り光がメインビームＭ１として照射される第１受光部、８Ｂは第２光ディスクＤ２の信号記録層Ｌ２から反射される戻り光の中のメインビームＭ２が照射される第２受光部、８Ｃは第２光ディスクＤ２の信号記録層Ｌ２から反射される戻り光の中の第１サブビームＳ１が照射される第１サブビーム用受光部、８Ｄは第２光ディスクＤ２の信号記録層Ｌ２から反射される戻り光の中の第２サブビームＳ２が照射される第２サブビーム用受光部である。
【００２０】
前記第１受光部８Ａ、第２受光部８Ｂ、第１サブビーム用受光部８Ｃ及び第２サブビーム用受光部８Ｄは、同一の半導体基板上に並べて配置形成されている。そして、第１光ディスクＤ１の信号記録層Ｌ１から反射される第１レーザー光の戻り光であるメインビームＭ１を受光する第１受光部８Ａは、上下方向(図において)であるＹ軸方向に２分割されているとともに左右方向(図において)であるＸ軸方向に２分割された４つのセンサー部Ａ、Ｂ、Ｃ及びＤより構成されている。
【００２１】
また、第２光ディスクＤ２の信号記録層Ｌ２から反射される第２レーザー光の戻り光の中のメインビームＭ２を受光する第２受光部８Ｂは、Ｘ軸方向に２分割されているとともにＹ軸方向に２分割された４つのセンサー部ａ、ｂ、ｃ及びｄより構成されている。
【００２２】
そして、第２光ディスクＤ２からの戻り光の中の第１サブビームＳ１及び第２サブビームＳ２を夫々受光する第１サブビーム用受光部８Ｃ及び第２サブビーム用受光部８Ｄは、前記第２受光部８Ｂを挟んでＹ軸方向の直線上に配置されているとともにＹ軸方向に２分割された２つのセンサー部ｅ、ｆ及びｇ、ｈより構成されている。
【００２３】
また、前記第１受光部８Ａは、前記第２受光部８Ｂに対してＸ軸方向の直線上に配置されているとともにその間隔Ｌ１は、図２に示した２波長レーザーダイオード１に組み込まれている第１レーザー素子２及び第２レーザー素子３の間隔Ｌ２と同一になるように設定されている。
【００２４】
前述した光検出器８に組み込まれている各受光部の配置及びセンサー部の構成より明らかなように第１光ディスクＤ１であるＤＶＤディスクに対するフォーカス制御動作は、メインビームＭ１を利用した非点収差法にて行われ、トラッキング制御動作はメインビーム
Ｍ１を利用する位相差検出法にて行われるように構成されているが、斯かるフォーカス制御動作及びトラッキング制御動作は周知であるので、その説明は省略する。
【００２５】
また、第２光ディスクＤ２であるＣＤディスクに対するフォーカス制御動作は、メインビームＭ２を利用した非点収差法にて行われ、トラッキング制御動作はメインビームＭ２及びサブビームＳ１、Ｓ２を利用する差動プッシュプル法にて行われるように構成されているが、斯かるフォーカス制御動作及びトラッキング制御動作は周知であるので、その説明は省略する。  
【００２６】
前記光検出器８に組み込まれている各受光部と第１レーザー光の戻り光及び第２レーザー光の戻り光との配置関係が図３に示すようになるように光ピックアップ装置を構成する光学部品の組み立ては行われるが、次に光検出器８の固定位置調整動作について図４を参照して説明する。
【００２７】
前述したように構成されている光ピックアップ装置に組み込まれる光検出器８の位置を調整する動作は、まず図４の(Ａ)に示すように第１光ディスクＤ１に使用される第１レーザー素子２から放射される第１レーザー光のメインビームＭ１を第１受光部８Ａの中心部に照射するように調整する動作、即ちＸＹポジションの調整動作が行われる。
【００２８】
図４の(Ａ)は、前述した第１レーザー光のメインビームＭ１を第１受光部８Ａの中心部に照射するように調整する動作が行われた状態を示すものであり、第２レーザー光のメインビームＭ２、第１サブビームＳ１及び第２サブビームＳ２は、各々第２受光部８Ｂ、第１サブビーム用受光部８Ｃ及び第２サブビーム用受光部８Ｄからずれた位置に照射された状態にある。
【００２９】
前述したＸＹポジションの調整動作が完了すると、次に第１受光部８Ａの位置を中心として光検出器８を反時計方向に回転させ、第２受光部８ＢのＹ軸方向の位置調整動作、即ちＹポジションの調整動作が行われる。斯かるＹポジション調整動作は前記第２受光部８Ｂを構成するセンサー部ａから得られる信号とセンサー部ｂから得られる信号とを加算した信号のレベルとセンサー部ｃから得られる信号とセンサー部ｄから得られる信号とを加算した信号のレベルとを比較し、この両信号のレベルが同一になるように行われる。即ち、斯かる調整動作を行うことによって第２受光部８ＢのＸＹポジション調整動作を行うことが出来る。
【００３０】
図４の(Ｂ)は、前述したＸＹポジション調整動作が行われた状態を示すものであり、斯かる状態において、第１サブビームＳ１及び第２サブビームＳ２を生成するべく設けられている回折格子４の回転位置をメインビームＭ２とサブビームＳ１、Ｓ２の位相が反転するように調整する動作が行われて光検出器８の配置調整動作が完了することになる。
【００３１】
前述したように第１レーザー光の戻り光であるメインビームＭ１の第１受光部８Ａに対する照射位置を調整した後第２レーザー光のメインビームＭ２が第２受光部８Ｂの最良の位置に照射されるように光検出器８を回転させることによって該光検出器８の固定位置を調整するようにされているが、斯かる光検出器８の回転調整動作は、±５度の範囲にて行うことが出来るように構成されている。
【００３２】
第１受光部８Ａと第２受光部８Ｂとの間には、製造誤差による位置ズレがあるだけでなく光検出器の回転位置の調整を正確に行う必要があるので、該光検出器８の回転調整動作は手間が掛かるという問題がある。
【００３３】
本発明は、前述した問題を解決することが出来る光ピックアップ装置を提供しようとす
るものである。
【課題を解決するための手段】
【００３４】
本発明は、２波長レーザーダイオードから放射される第１レーザー光及び第２レーザー光が入射されるとともに第１レーザー光を第１光ディスクに設けられている信号記録層に集光させ、且つ第２レーザー光を前記第１光ディスクの規格と異なる第２光ディスクに設けられている信号記録層に集光させる対物レンズと、第１光ディスクの信号記録層から反射される戻り光が照射される第１受光部と第２光ディスクの信号記録層から反射される戻り光が照射される第２受光部とが同一の半導体基板上に形成されて組み込まれているとともに第１受光部の位置決め調整を行うことによって固定位置が決定される光検出器とを備え、第２受光部に該第２受光部の位置ズレを電気的に補正する位置ズレ補正用受光部を形成したことを特徴とするものである。
【００３５】
また、本発明は、第１受光部と第２受光部とをＸ軸方向へ並べて配置したとき、前記第１受光部をＸ軸方向に２分割するとともに該Ｘ軸方向に対して直角方向であるＹ軸方向に２分割された４つのセンサー部にて構成し、前記第２受光部をＸ軸方向に２分割するとともにＹ軸方向に３分割された６つのセンサー部にて構成し、中央に配置される２つのセンサー部を位置ズレ補正用受光部として使用するようにしたことを特徴とするものである。
【００３６】
そして、本発明は、２波長レーザーダイオードに設けられている第１レーザー素子と第２レーザー素子との間の距離と第１受光部のＸ軸方向の中心と第２受光部のＸ軸方向の中心との間の距離とが同一になるように設定したことを特徴とするものである。
【００３７】
また、本発明は、位置ズレ補正用受光部のＹ軸方向の幅を光検出器の第１受光部を中心とする回転位置の誤差に基づいて設定したことを特徴とするものである。
【００３８】
そして、本発明は、位置ズレ補正用受光部を第２受光部のＹ軸方向の中心に配置したことを特徴とするものである。
【発明の効果】
【００３９】
本発明は、第１光ディスクの信号記録層から反射される戻り光が照射される第１受光部と第２光ディスクの信号記録層から反射される戻り光が照射される第２受光部とが同一の半導体基板上に形成されている光検出器とを備えた光ピックアップ装置において、前記光検出器の固定位置を第１受光部にて調整するとともに第２受光部に第１受光部と第２受光部との位置ズレを電気的に補正する位置ズレ補正用受光部を形成したので、第１受光部に対して第２受光部の位置が回転方向にずれていても光ピックアップ装置の制御動作を行うために必要な検出信号を生成することが出来る。
【００４０】
従って、本発明によれば光検出器の固定位置を機械的な精度を得ることが出来る範囲になるように製造すれば光検出器の回転位置調整をする必要がなく、光ピックアップ装置の組み立てを容易に行うことが出来る。
【図面の簡単な説明】
【００４１】
【図１】本発明に係る光検出器の一実施例を示す平面図である。
【図２】本発明に係る光ピックアップ装置を構成する概略図である。
【図３】光検出器の構成を説明するための平面図である。
【図４】光検出器の位置調整を説明するための平面図である。
【発明を実施するための形態】
【００４２】
光ピックアップ装置におけるフォーカス制御動作を行うためのフォーカスエラー信号及
びトラッキング制御動作を行うためのトラッキングエラー信号等を生成するために設けられている光検出器に組み込まれている受光部のポジションずれを電気的に補正することが出来る。
【実施例１】
【００４３】
図１は本発明に係る光検出器８に組み込まれる第２受光部８Ｂの構成を示す平面図であり、第１レーザー光のメインビームＭ１を受光する第１受光部８Ａ、第１サブビームＳ１を受光する第１サブビーム用受光部８Ｃ及び第２サブビームＳ２を受光する第２サブビーム用受光部８Ｄは図３に示したように構成されている。
【００４４】
本発明に係る光検出器８に組み込まれる第２受光部８Ｂは、図１に示したようにＸ軸方向に２分割されているとともにＹ軸方向に３分割された６つのセンサー部ａ、ｂ、ｃ、ｄ、ｅ及びｆより構成されている。
【００４５】
同図において、中央部に配置されているセンサー部ｅ及びｆは位置ズレ補正用の受光部であり、その幅Ｌ３は前述した光検出器８を回転位置を調整するために第１受光部８Ａを中心として回転させた場合における第２受光部８Ｂの回転変位の長さに基づいて設定される。例えば、光検出器８の回転位置を調整決定するために第１受光部８Ａを中心として回転させる角度が前述した±５度の場合には、第２受光部８Ｂの回転変位長が２０μｍになるので、本実施例では位置ズレ補正用受光部の幅Ｌ３は２０μｍになるように設定されている。
【００４６】
図１の(Ａ)、(Ｂ)及び(Ｃ)は、光検出器８を第１受光部８ＡとメインビームＭ１の位置合わせ後に固定した場合の第１受光部８Ａと第２受光部８Ｂとの回転位置関係が異なる場合のメインビームＭ２との関係を示すものである。
【００４７】
図１の(Ａ)はメインビームＭ２のＹ軸方向の分割線Ｐが第２受光部８Ｂの中心にある場合、即ち第１受光部８Ａに対する第２受光部８Ｂの回転位置が最良の位置関係にある場合であり、斯かる場合には、分割線Ｐが位置ズレ補正用受光部であるセンサー部ｅ及びｆのＹ軸方向の中央に位置することになる。
【００４８】
斯かる状態にあるとき、各センサー部ａ、ｂ、ｃ、ｄ、ｅ及びｆから得られる検出信号のレベルからａ＋０．５×ｅ＋ｂ＋０．５×ｆ＝ｃ＋０．５×ｆ＋ｄ＋０．５×ｅになるとき、Ｙポジションの調整が完了したと判定することが出来る。即ち、各センサー部から得られる信号が入力されるとともに各信号を増幅するべく設けられている各センサー用増幅器の利得を調整することによって電気的に光検出器８のＹポジションの調整動作を完了することが出来る。
【００４９】
図１の(Ｂ)はメインビームＭ２のＹ軸方向の分割線Ｐがセンサー部ａとセンサー部ｅとの境界、即ちセンサー部ｂとセンサー部ｆとの境界にある場合であり、第１受光部８Ａに対して第２受光部８Ｂの回転位置が時計方向にずれた位置にある場合である。
【００５０】
斯かる状態にあるとき、各センサー部ａ、ｂ、ｃ、ｄ、ｅ及びｆから得られる検出信号のレベルからａ＋ｂ＝ｃ＋ｄ＋ｅ＋ｆになるとき、Ｙポジションの調整が完了したと判定することが出来る。即ち、各センサー部から得られる信号が入力されるとともに各信号を増幅するべく設けられている各センサー用増幅器の利得を調整することによって電気的にＹポジションの調整動作を完了することが出来る。
【００５１】
図１の(Ｃ)はメインビームＭ２のＹ軸方向の分割線Ｐがセンサー部ｃとセンサー部ｆとの境界、即ちセンサー部ｄとセンサー部ｅとの境界にある場合であり、第１受光部８Ａに
対して第２受光部８Ｂの回転位置が反時計方向にずれた位置にある場合である。
【００５２】
斯かる状態にあるとき、各センサー部ａ、ｂ、ｃ、ｄ、ｅ及びｆから得られる検出信号のレベルからａ＋ｂ＋ｅ＋ｆ＝ｃ＋ｄになるとき、Ｙポジションの調整が完了したと判定することが出来る。即ち、各センサー部から得られる信号が入力されるとともに各信号を増幅するべく設けられている各センサー用増幅器の利得を調整することによって電気的にＹポジションの調整動作を完了することが出来る。
【００５３】
図１の(Ａ)は、前述したように第１受光部８Ａと第２受光部８Ｂと回転位置関係にズレがない場合、図１の(Ｂ)は、第１受光部８Ａに対して第２受光部８Ｂの回転位置が時計方向に最もずれた位置にある場合、そして図１の(Ｃ)は、第１受光部８Ａに対して第２受光部８Ｂの回転位置が反時計方向に最もずれた位置にある場合を意味するものである。
【００５４】
従って、前述した第１受光部８Ａに対する第２受光部８Ｂの回転方向にずれる範囲は種々あり、斯かる場合のＹポジションの調整のための各センサー用増幅器の利得設定は次のように行われる。
【００５５】
即ち、各センサー部から得られる信号を利用するＹポジション調整動作は、ａ＋Ｋ×ｅ＋ｂ＋Ｋ×ｆ＝ｃ＋ｋ×ｆ＋ｄ＋ｋ×ｅ、ただし、Ｋ＝１−ｋの条件になるように各センサー用増幅器の利得を設定することによって行うことが出来る。
【００５６】
従って、センサー部ａ、ｂ、ｃ、ｄから得られる検出信号を増幅するべく設けられているセンサー用増幅器の利得を同一になるように設定し、位置ズレ補正用受光部を構成するセンサー部ｅ、ｆから得られる検出信号を増幅するべく設けられているセンサー用増幅器の利得をズレの長さに伴う検出信号レベルに合わせて設定することによって光検出器８のＹポジションの調整動作を正確に行うことが出来る。
【００５７】
尚、本実施例では、光検出器８の回転位置の変位角度が±５度の場合について説明したが、この変位角度の大きさに応じて位置ズレ補正用受光部のＹ軸方向の幅が設定されるものであり、その数値は限定されるものではない。
【産業上の利用可能性】
【００５８】
本発明は、ＤＶＤ規格及びＣＤ規格の光ディスクに記録されている信号の読出し動作を行う光ピックアップ装置だけでなく異なる規格の光ディスクに記録されている信号の読み出し動作を行う光ピックアップ装置にも応用することが出来る。
【符号の説明】
【００５９】
１      ２波長レーザーダイオード
２      第１レーザー素子
３      第２レーザー素子
４      回折格子
５      ハーフミラー
７      対物レンズ
８      光検出器  
８Ａ    第１受光部
８Ｂ    第２受光部
【図１】
2011113630.tif 000003
【図２】
2011113630.tif 000004
【図３】
2011113630.tif 000005
【図４】
2011113630.tif 000006